(57)【要約】  １又は複数の改良を提供する例である実施例は、ユーザーの脳内の電気的活動の測定可能特性を決定すること、及び測定可能特性を用い現時点のユーザーの情動状態を決定することを教示する。
2009504274.tif 000002
【特許請求の範囲】
【請求項１】
方法であって、所与のユーザーにより用いられ、前記方法は：
（ａ）前記所与のユーザーの特定の現時点の情動状態レベルと測定可能な程度に対応する、前記所与のユーザーの脳の前前頭葉の電気的活動の測定可能特性（ＭＣＥＡ）を予め定める段階；
（ｂ）前記ＭＣＥＡを前記所与のユーザーの脳内の他の電気的活動から分離する段階；
（ｃ）特定の方法で前記所与のユーザーと相互作用した場合に、相応して前記ＭＣＥＡを変化するよう、前記ユーザーの現時点の情動状態を変化し得るメディア素材を提供する段階；
（ｄ）前記ユーザーに前記メディア素材と前記特定の方法で相互作用させる段階；
（ｅ）前記ユーザーが前記メディア素材と前記特定の方法で相互作用するときに、前記ユーザーのＭＣＥＡの変化がある場合に前記変化を測定する段階；を有する方法。
【請求項２】
前記ユーザーに前記ユーザーのＭＣＥＡの変化を提供する段階；及び
その後、前記ＭＣＥＡに変化を生じるように前記ユーザーに前記メディアとの相互作用を続けさせる段階、を有する請求項１記載の方法。
【請求項３】
前記特定の現時点の情動状態は前記ユーザーの限界情動の解放に関連する、請求項１記載の方法。
【請求項４】
前記他の電気的活動から分離されたＭＣＥＡはα及びθ帯の脳波を有する、請求項１記載の方法。
【請求項５】
前記メディア素材は解放技術からの素材を有する、請求項１記載の方法。
【請求項６】
ユーザーのＭＣＥＡの変化を測定する段階は、単一のシングルエンド増幅器センサー回路を用いる、請求項１記載の方法。
【請求項７】
システムであって、所与のユーザーにより用いられ、前記所与のユーザーの特定の現時点の情動状態のレベルと測定可能な程度に対応する、前記所与のユーザーの脳の前前頭葉の電気的活動の所定の測定可能特性（ＭＣＥＡ）が設定され、前記システムは：
（ａ）特定の方法で前記所与のユーザーと相互作用した場合に、相応して前記ＭＣＥＡを変化するよう、前記ユーザーの現時点の情動状態を変化し得るメディア素材；
（ｂ）前記ＭＣＥＡを前記所与のユーザーの脳内の他の電気的活動から分離する手段；
（ｃ）前記ユーザーが前記メディア素材と前記特定の方法で相互作用するときに、前記所与のユーザーのＭＣＥＡの変化がある場合に前記変化を測定する手段；を有するシステム。
【請求項８】
前記メディア素材は音声形式の素材を有する、請求項７記載のシステム。
【請求項９】
前記メディア素材はビデオ形式の素材を有する、請求項７記載のシステム。
【請求項１０】
前記メディア素材は解放技術からの素材を有する、請求項７記載のシステム。
【請求項１１】
前記ユーザーのＭＣＥＡの変化は前記ユーザーへ伝達される、請求項７記載のシステム。
【請求項１２】
方法であって、人間のユーザーが前記ユーザーに情動的苦痛を経験させる特定の思考を考えた場合に、前記ユーザーにより経験される限界情動を解放するよう前記ユーザーを案内するためにメディア素材を用いるシステムにおいて、前記解放は、前記特定の思考に直面した場合にどれだけ強く前記ユーザーが前記限界情動を経験するかに基づく異なるレベルにより特徴付けられ、及び前記ユーザーが有する前記特定の思考に関連する限界情動が少ないほど前記ユーザーは高い解放レベルを有し、前記ユーザーが有する前記特定の思考に関連する限界情動が多いほど前記ユーザーは低い解放レベルを有し、前記方法は：
人間の脳の前前頭葉の電気的活動の特性と経験されている解放のレベルとの間の関連性を予め定める段階；
前記ユーザーを前記特定の思考に関連する前記メディア素材からの刺激に、前記ユーザーに特定の１又は複数の限界情動を経験させる特定の時間に晒す段階；
前記特定の時間の解放レベルを確立するために、前記特定の時間の前記ユーザーの脳内の電気的活動を定める段階、及び
前記定められた解放レベルを前記ユーザーに示す段階、を有する方法。
【請求項１３】
前記電気的活動の特性を定める段階は、前記ユーザーの前前頭葉のα及びθ帯の電気的活動の間の関係を定める段階を有する、請求項１２記載の方法。
【請求項１４】
前記電気的活動の特性を定める段階は、前記ユーザーの前前頭葉のα及びθ帯の電気的活動の量を定める段階を有する、請求項１２記載の方法。
【請求項１５】
前記電気的活動の特性を定める段階は、θ帯の電気的活動の量に対する前記α帯の電気的活動の量の割合を定める段階を有する、請求項１４記載の方法。
【請求項１６】
前記α及びθ帯の電気的活動の量を定める段階は、基準電極と増幅器を単一の結合された雑音環境に結合する段階、及び前記α及びθ帯の電気的活動を前記基準電極に対し近い距離で測定する段階を有する、請求項１４記載の方法。
【請求項１７】
前記基準電極を結合する段階は、前記ユーザーの右耳に前記基準電極を接続する段階を有する、請求項１４記載の方法。
【請求項１８】
前記定められた解放レベルは前記ユーザーに視覚的に示される、請求項１２記載の方法。
【請求項１９】
前記定められた解放レベルは前記ユーザーに聴覚的に示される、請求項１２記載の方法。
【請求項２０】
前記メディア素材は予め記録されたフィアルを有し、前記ファイルは、限界情動を生じる思考を生じさせ前記限界情動を繰り返し解放させることにより、前記メディア素材内の刺激に応答するよう前記ユーザーを案内し、前記ユーザーの脳内の電気的活動の量は、前記解放が所定のレベルに達するまで繰り返し定められる、請求項１２記載の方法。
【請求項２１】
前記ユーザーはセッション時間に亘り継続するセッション中に一連の複数の刺激に晒され、前記解放レベルは前記セッション中に複数回定められる、請求項１２記載の方法。
【請求項２２】
前記解放レベルは、前記セッション中、前記ユーザーに示され、前記ユーザーが前記セッション中に前記解放レベルの変化を再検討することを可能にする、請求項２１記載の方法。
【請求項２３】
前記ユーザーは複数のセッションに晒され、前記ユーザーに解放レベルの変化を示すために１つのセッションの解放レベルは他のセッションの解放レベルと比較される、請求項２１記載の方法。
【請求項２４】
前記ユーザーはセッション中に一連の複数の異なる刺激に晒され、前記異なる刺激のどれが前記ユーザーにより高い解放レベルを経験させたか及び前記異なる刺激のどれが前記ユーザーにより低い解放レベルを経験させたかを定めるために、前記解放レベルは前記セッション中に監視される、請求項１２記載の方法。
【請求項２５】
前記ユーザーは、前記ユーザーがより高い解放レベルを経験するまで前記ユーザーにより低い解放レベルを経験させると定められた刺激に繰り返し晒される、請求項２４記載の方法。
【請求項２６】
特定の解放レベルが達成された場合にユーザーに示す段階、を更に有する請求項１２記載の方法。
【請求項２７】
特定の解放レベルが達成された場合にユーザーを前記メディア素材に晒すのを停止する段階、を更に有する請求項２６記載の方法。
【請求項２８】
前記ユーザーの解放レベルを先生に電気的に伝達する段階；及び
前記ユーザーの解放レベルを観察しながら前記先生が前記ユーザーと相互作用することを可能にするために、前記ユーザーと前記先生との間の通信接続を設ける段階、を更に有する請求項１２記載の方法。
【請求項２９】
装置であって、人間のユーザーが前記ユーザーに情動的苦痛を経験させる特定の思考を考えた場合に、前記ユーザーにより経験される限界情動を解放するよう前記ユーザーを案内するためにメディア素材を用いるシステムにおいて、前記解放は、前記特定の思考に直面した場合にどれだけ強く前記ユーザーが前記限界情動を経験するかに基づく異なるレベルにより特徴付けられ、及び前記ユーザーが有する前記特定の思考に関連する限界情動が少ないほど前記ユーザーは高い解放レベルを有し、前記ユーザーが有する前記特定の思考に関連する限界情動が多いほど前記ユーザーは低い解放レベルを有し、前記装置は：
人間の脳の前前頭葉の電気的活動の特性と経験されている解放のレベルとの間の所定の関連性を格納するメモリー装置；
前記ユーザーの脳の前前頭葉の電気的活動の特性を検知し、及び前記検知された特性に基づき関心のある信号を生成し、及び前記関心のある信号を送信するセンサー回路；
前記関心のある信号を前記センサー回路から及び前記関連性を前記メモリー装置から受信し、前記関連性を前記関心のある信号に適用することにより解放レベル信号を生成するよう接続されたプロセッサー；及び前記解放レベル信号を受信し及び前記解放レベルを前記ユーザーに示す表示器、を有する装置。
【請求項３０】
解放レベルは前記ユーザーに視覚的に示され、前記表示器は前記ユーザーが前記メディア素材及び前記解放レベル表示の外観を制御及び変更することを可能にする、請求項２９記載の装置。
【請求項３１】
前記センサー回路は前記ユーザーの頭部に装着され、前記プロセッサーは前記関心のある信号を無線接続を通じて受信する、請求項２９記載の装置。
【請求項３２】
前記表示器は前記ユーザーに聴覚的に前記解放レベルを示すスピーカーを有する、請求項２９記載の装置。
【請求項３３】
前記表示器は前記ユーザーに視覚的に前記解放レベルを示す視覚画面を有する、請求項２９記載の装置。
【請求項３４】
前記メディア素材は予め記録されたファイルを有し、前記ファイルは、限界情動を引き起こす思考を生じさせることにより前記メディア素材の刺激に応答するよう前記ユーザーを案内し、プロセッサーは前記メディア素材を前記ユーザーに提示するために用いられる、請求項２９記載の装置。
【請求項３５】
前記メディア素材は解放技術を有する、請求項３４記載の装置。
【請求項３６】
前記センサー回路は、前記ユーザーの脳の前前頭葉の電気的活動の特性を検知する位置で前記ユーザーの皮膚と接触するために用いられるセンサー導電性表面を有し、前記特性はα及びθ帯の電気的活動の特性を有し、前記センサー回路は、α及びθ帯の電気的活動を不要な電気的活動から分離する一連の増幅段とフィルター段とを更に有し、前記一連の増幅段とフィルター段は第１段のシングルエンド増幅器を有し、及び前記センサー導電性表面は前記第１段のシングルエンド増幅器と電気的に接続される、請求項２９記載の装置。
【請求項３７】
前記センサー回路は、前記センサー回路を取り囲む環境雑音からの環境雑音信号を定める基準導電性表面を有し、前記シングルエンド増幅器は、前記環境雑音が増幅されないようにα及びθ帯の電気的活動を前記環境雑音信号に対して増幅する、請求項３６記載の装置。
【請求項３８】
前記第１段のシングルエンド増幅器は、１２Ｈｚより高い周波数の利得を低減する低域通過フィルターとしても機能する、請求項３６記載の装置。
【請求項３９】
前記プロセッサーは、前記関心のある信号を前記センサー回路から無線接続を介し受信する、請求項２９記載の装置。
【請求項４０】
前記プロセッサーは前記無線接続が故障した場合にエラー信号を生成する、請求項３９記載の装置。
【請求項４１】
前記メディア素材は、前記限界情動を解放するよう前記ユーザーを案内するために再生され、前記メディア素材は前記プロセッサーが前記エラー信号を生成した場合に停止される、請求項４０記載の装置。
【請求項４２】
前記プロセッサーは、前記センサー回路と前記プロセッサーとの間の通信互換性を判断する、請求項２９記載の装置。
【請求項４３】
前記センサー回路はＵＨＣＩ  ＵＳＢ回路に基づき通信する無線受信器を有し、前記プロセッサーはＯＨＣＩ  ＵＳＢ制御回路に基づき通信する、請求項４２記載の装置。
【請求項４４】
前記センサー回路はバージョンを有し、前記プロセッサーは、前記センサー回路のバージョンを判断する、請求項２９記載の装置。
【請求項４５】
前記センサー回路から送信された関心のある信号は特定の範囲を有し、前記関心のある信号は特定の送信レートで送信され、前記プロセッサーは前記送信レートと前記関心のある信号の範囲に基づき前記センサー回路のバージョンを判断する、請求項４４記載の装置。
【請求項４６】
前記プロセッサーは、複数の異なるセンサー回路から複数の関心のある信号を受信するよう構成される、請求項２９記載の装置。
【請求項４７】
前記プロセッサーはコンピューター・ネットワークを介し通信するよう構成される、請求項２９記載の装置。
【請求項４８】
前記プロセッサーはコンピューター・ネットワークを介し前記関心のある信号と関連する情報を通信する、請求項４７記載の装置。
【請求項４９】
前記プロセッサーは、前記ユーザーがネットワークを介し他のユーザーと通信することを可能にするよう構成される、請求項２９記載の装置。
【請求項５０】
前記他のユーザーとの通信はテキスト、ビデオ、又は音声を通じる、請求項４９記載の装置。
【請求項５１】
複数のメディア素材が存在し、一度に前記複数のメディア素材の１つが再生され、前記ユーザーに応答として電気的活動を生成させ、前記プロセッサーは前記メディア素材のどれが前記センサー信号に基づき再生されたかを定めるよう構成される、請求項２９記載の装置。
【請求項５２】
前記プロセッサーは、解放レベルが前記メディア素材と関連する場合に前記解放レベルを前記メモリー装置に格納するよう構成される、請求項２９記載の装置。
【請求項５３】
前記プロセッサーは前記メモリー装置にアクセスし、前記格納された解放レベル及び関連するメディア素材を前記ユーザーに伝達するよう構成される、請求項２９記載の装置。
【請求項５４】
前記プロセッサーは、前記ユーザーが前記プロセッサーと相互作用し通信を停止するまで、前記格納された解放レベル及び関連する素材を前記ユーザーに繰り返し伝達するよう構成される、請求項５３記載の装置。
【請求項５５】
前記メモリー装置は、自己報告日誌及び自己観察進捗を格納するデータベースを有するよう構成される、請求項２９記載の装置。
【請求項５６】
前記表示器は前記メモリー装置に格納された解放レベルを視覚的に示す、請求項２９記載の装置。
【請求項５７】
前記表示器は、セッション中の前記ユーザーの最大、最小、及び平均解放レベルを視覚的に示す、請求項２９記載の装置。
【請求項５８】
前記表示器は解放レベルを視覚的に示し、視覚的表示は調整可能な詳細レベルを有する、請求項２９記載の装置。
【請求項５９】
前記表示器は解放レベルを紙に印刷することにより解放レベルを示す、請求項２９記載の装置。
【発明の詳細な説明】
【技術分野】
【０００１】
本願明細書は現在の人の情動状態を決定し改善する装置及び方法に関する。
［関連する出願］
本出願は米国特許出願番号６０／７０６,５８０、２００５年８月９日出願の優先権を請求する。当該米国特許出願は参照され及び添付１として添付されることにより本願明細書に全体が組み込まれる。更に、米国特許出願番号ＸＸ（代理人管理番号ＥＭＳ−１）、名称「A  Device  and  Method  for  Sensing  Electrical  Activity  in  Tissue」、発明者Ｍｉｃｈａｅｌ  Ｌｅｅ他、本出願と同日に出願、は参照されることにより本願明細書に全体が組み込まれる。
【背景技術】
【０００２】
多くの人々は人生の目標に達することを妨げる限界情動を経験する。当該限界情動は目標に関連する蓄積した経験又は個人の心に基づく他の原因の結果であり得る。限界情動の日常経験は、個人の心に存在する通常状態として受け入れられてきている。その結果、個人は不満及びずっと続く諦めを経験し、目標は達成されない。限界情動は、個人がどのように彼らの人生を生きるかに影響を与える個人の神経系に現実に感じられる。個人が特定の環境刺激により限界情動を経験している場合、当該個人は反応を示す。反応はまた限界行動を生じ得る。
【０００３】
個人の心は、コンピューターのハード・ドライブと同様に大容量記憶装置のように機能する思考の集合として説明され得る。心は個人の経験を格納し、個人が過去の経験を考えるときに過去の経験を感情に訴える記憶の形式で再生する。心はまた、類似の過去の経験に付加された情動に基づき情動を現在の経験に付加する。
【０００４】
しばしば、思考又は記憶が不要又は不快な場合、個人はそれらを現在の自覚意識から振り払うことにより、記憶を抑圧するという精神的習慣を発達させる。これは、これらの思考を心に格納させ、潜在意識として知られているものになる。これらの思考は潜在意識に蓄積され、如何なる特定種類の、又は特定の課題を取り巻く思考も有意な数に達すると、当該思考は情動として知られているものになる。これらは個人が日常生活で、無作為に又は適切な環境刺激がそれらを個人の経験に呼び出す場合に経験する情動である。
【０００５】
個人の潜在意識に蓄積され格納された思考の長期に亘る形態はプログラムと称される。プログラムは最後には個人に限界情動を生じる。プログラムは愛情又は嫌悪から生じる。愛情は特定の人々、場所、物、及び経験を私達の近くに保つという願望である。個人が愛着を持っているものから離された場合、愛情は個人に情動的苦痛を経験させる。嫌悪は特定の人々、場所、物、及び経験を私達から離して保つという願望である。恐怖は一般的な嫌悪である。個人が嫌悪を抱いている状況に晒された場合、嫌悪は個人に情動的苦痛を経験させる。
【０００６】
恒久的に個人の情動状態を改善するために自己又は補助問診処理が開発されている。これらの処理のある種類は、この主題に関する多くの発見を詳細に説明する文献及び講義の音声記録を作成したLester  Levensonにより開発された。これらの処理の別の種類はLawrence  Craneにより開発され、「解放技術」として知られている。
【０００７】
解放技術処理は解放と称される精神過程を有する。解放は経験した瞬間に限界思考、思考傾向、及び結果として生じる情動を取り除く精神過程である。処理は、個人に限界情動又は情動的に悩んだ経験に到達させ、結果として神経系に混乱を生じる。処理は次に神経系を正常化するよう個人を案内するか、又は情動を解放する。同時に個人は知覚された混乱の原因に集中させられる。案内処理の１つは「愛情と嫌悪」と称される。
【０００８】
自由は、個人が現行の人生経験の一部として経験した不要な情動となっている限界思考からの永久的な解放である。自由は、潜在意識に格納された限界思考が存在しなくなるまで、及び限界思考の結果として経験した限界情動が神経系に存在しなくなるまで、何度も繰り返して解放処理を利用することにより得られる。自由は潜在意識の完全な解放である。突出した（ness）存在は、如何なる限界、限界情動、又は知覚された限界の自然な先天的な状態も経験していない個人である。徐々に情動の混乱を低下させる個人は、増え続ける調和、喜び、又は幸福を経験する。
【０００９】
解放技術は、ユーザーに彼らの目標を確認し、目標声明を作成し、彼らの目標を彼ら自身に定期的に思い出させるため当該目標声明を目に見える場所に書き留めることを要求することにより目標設定を指導し、限界情動を検査し、そして限界情動を解放する。解放技術は情動に気付かせるように個人を案内する。従って彼らは彼らが反応しているとき、次に反応性を解放しているときを認識できる。これは個人が彼らの情動及び彼らの情動が彼らの人生に与える影響を一層制御することを可能にする。
【発明の開示】
【発明が解決しようとする課題】
【００１０】
上述の処理は限界思考及び情動を解放するよう個人を案内するが、一方でこれらの処理は、個人のための、何が限界情動を解放したいと感じるかを客観的に検証する方法を有さない。このような検証なしでは、個人は実際には彼らが限界情動を持ち続けている場合にも彼らが解放していると信じてしまう。
【００１１】
これらの処理に伴う別の問題は、多くの場合、処理が個人に頼って個人が解放する必要のある限界情動に関連する特定の思考を確認することである。再び、解放レベルを客観的に測定する方法が存在しないので、個人のための、限界情動を生じる特定の思考を客観的に確認する方法が存在しない。
【００１２】
背景技術の前述の例及びそれらに関連する限定は、説明のためであり排他的ではない。背景技術の他の限定は、明細書及び図面の説明を読むことにより当業者に明らかである。
【課題を解決するための手段】
【００１３】
以下の実施例及び当該実施例の特長は、システム、ツール、及び方法と関連して記載され説明される。これらは例示及び説明であり範囲を制限するものではない。種々の実施例で１又は複数の上述の問題は低減又は除去される。また他の実施例は他の改善を目的とする。
【００１４】
方法が記載される。前記方法はユーザーにより用いられ、ユーザーの脳の前前頭葉の電気的活動の測定可能特性（ＭＣＥＡ）が、前記ユーザーの特定の現時点の情動状態のレベルと測定可能な程度に対応するか予め定められる。ＭＣＥＡはユーザーの脳内の他の電気的活動から分離される。メディア素材が提供される、メディア素材は、ユーザーにより特定の方法で相互作用されると前記ユーザーの現時点の情動状態を、ＭＣＥＡを測定可能な程度に変化するように変化し得る。ユーザーはメディア素材と前記特定の方法で相互作用させられ、ユーザーがメディア素材と前記特定の方法で相互作用すると、ユーザーのＭＣＥＡの変化がある場合に当該変化が測定される。
【００１５】
システムが記載される。前記システムはユーザーにより用いられ、ユーザーの特定の現時点の情動状態のレベルと測定可能な程度に対応する、ユーザーの脳の前前頭葉の所定の電気的活動の測定可能特性（ＭＣＥＡ）が定められる。システムはメディア素材を有する。メディア素材は、所与のユーザーにより特定の方法で相互作用されると前記ユーザーの現時点の情動状態を、ＭＣＥＡを測定可能な程度に変化するように変化し得る。システムは、所与のユーザーの脳内の他の電気的活動からＭＣＥＡを分離する手段、及びユーザーが前記特定の方法でメディアと相互作用した場合に前記所与のユーザーのＭＣＥＡの変化がある場合に前記変化を測定する手段、を更に有する。
【００１６】
方法も記載される。前記方法は、システムにおいて、人間のユーザーが前記ユーザーに情動的苦痛を経験させる特定の思考を前記ユーザーが考えた場合に、前記ユーザーにより経験される限界情動を解放するよう、前記ユーザーを案内するメディア素材を用いる段階、を有する。解放は、ユーザーが特定の思考に直面した場合にどれだけ強く限界情動を経験するかに基づく異なるレベルにより特徴付けられる。ユーザーが有する特定の思考に関連する限界情動が少ないほど、ユーザーは高い解放レベルを有する。ユーザーが有する特定の思考に関連する限界情動が多いほど、ユーザーは低い解放レベルを有する。人間の脳の前前頭葉の電気的活動の特性と経験されている解放のレベルとの関連性が予め定められる。ユーザーは特定の思考と関連するメディア素材からの刺激に、ユーザーに特定の１又は複数の限界情動を経験させる特定の時間に晒される。ユーザーの脳内の電気的活動の特性は特定の時間に定められ、特定の時間の解放レベルを確立する。解放レベルはユーザーに示される。
【００１７】
装置が記載される。前記装置は、システムにおいて、人間のユーザーが前記ユーザーに情動的苦痛を経験させる特定の思考を前記ユーザーが考えた場合に、前記ユーザーにより経験される限界情動を解放するよう、前記ユーザーを案内するメディア素材を用いる段階、を有する。解放は、ユーザーが特定の思考に直面した場合にどれだけ強く限界情動を経験するかに基づく異なるレベルにより特徴付けられる。ユーザーが有する特定の思考に関連する限界情動が少ないほど、ユーザーは高い解放レベルを有する。ユーザーが有する特定の思考に関連する限界情動が多いほど、ユーザーは低い解放レベルを有する。装置は、人間の脳の前前頭葉の電気的活動の特性と経験されている解放のレベルとの所定の関連性を格納するメモリー装置を有する。センサー回路は、ユーザーの脳の前前頭葉の電気的活動の特性を検知し、前記検知された特性に基づき関心のある信号を生成するために用いられる。プロセッサーは、関心のある信号をセンサーから及び関連性をメモリー装置から受信し、関心のある信号への関連性の適用に基づき解放レベル信号を生成するよう接続される。表示器は、解放レベル信号を受信し及び解放レベルをユ―ザーに示すために用いられる。
【００１８】
上述の例である態様及び実施例に加え、更なる態様及び実施例は図面を参照し及び以下の説明を読むことにより明らかになる。
【発明を実施するための最良の形態】
【００１９】
図１は本願明細書の議論を組み込んだシステム３０を示す。例であるシステム３０は、ユーザー３４と接続されユーザーの前前頭葉の電気的活動から関心のある信号を検知し及び分離するセンサー装置３２を有する。関心のある信号は、電気的活動の測定可能な特性、又はユーザー３４の現時点の情動状態（ＰＴＥＳ）に関連する関心のある信号を有する。ＰＴＥＳは所与の時点のユーザーの情動状態に関連する。例えば、ユーザーがユーザーの精神的苦痛を生じる物事について考えている場合、ＰＴＥＳは、ユーザーがユーザーの情動を落ち着かせる物事を考えている場合と異なる。別の例では、ユーザーが思考に関し限界情動を感じる場合、ＰＴＥＳは、ユーザーが当該思考に関し解放状態を感じる場合と異なる。関心のある信号とＰＴＥＳとの間の関係のため、システム３０はユーザー３４により経験されたＰＴＥＳレベルを、電気的活動を測定し及びユーザーの脳内の他の電気的活動から関心のある信号を分離することにより、決定できる。
【００２０】
この例では、センサー装置３２は、第１の点に置かれたセンサー電極３６、及び第２の点に置かれた基準電極３８を有する。第１及び第２の点は、間隔を空けられた関係に置かれるが、互いに近接近に維持される。当該点は望ましくは互いに約８インチ以内にある。ある例では、当該点は約４インチ離れている。この例では、センサー電極３６はユーザーの前額部の皮膚に置かれ、基準電極３８はユーザーの耳と接続される。基準電極はまたユーザーの前額部に取り付けられ、基準電極をユーザーの耳に渡り位置付ける段階を有して良い。
【００２１】
センサー電極３６及び基準電極３８は、センサー装置３２の、基準電極３８の近くに位置付けられた電子モジュール４０と接続される。センサー電極３６、基準電極３８、及び電子モジュール４０は実質的に同一の雑音環境内に置かれる。電子モジュール４０はユーザーのこめかみに又はこめかみの上方に、又は電子モジュール４０が基準電極３８の近接近にある他の位置に置かれて良い。この例では、頭部帯４２又は他の取り付け装置は、センサー電極３６及び電子モジュール４０をこめかみの近くの位置に保持し、同時にクリップ４４は基準電極３８をユーザーの耳に保持する。ある例では、電子モジュール及び基準電極は互いに対し容量性結合されるように位置付けられる。
【００２２】
センサー電極３６はユーザーの前前頭葉の電気的活動を検知する。また電子モジュール４０は現在の及びセンサー電極により検出された他の電気的活動から関心のある信号を分離する。電子モジュール４０は、関心のある信号を無線受信機４８へ無線接続５０を介して送信する無線送信機４６（図６）を有する。図１の無線受信機４８は、関心のある信号を電子モジュール４０から受信し、そしてコンピューター５４のポート５２又はプロセッサーを有する他の装置とポート・コネクタ５３で接続し、関心のある信号を無線受信機４８からコンピューター５４へ転送する。電子モジュール４０はＬＥＤ５５（図６）を有する。また無線受信機４８はＬＥＤ５７を有する。ＬＥＤ５５及び５７の両方は、無線送信機及び無線受信機が電源を入れられると照射する。
【００２３】
この例では、関心のある信号から導出されたＰＴＥＳレベルは、コンピューター５４のコンピューター画面５８のメーター５６（図１及び２）に表示される。この場合、コンピューター５４及びメーター５６を表示する画面５８は表示器として機能する。メーター５６の詳細のレベルはユーザーに合うよう調整され得る。メーター５６を見て、ユーザー３４は彼らのＰＴＥＳレベルを如何なる特定の時点でも客観的方法で決定することが可能である。メーター５６から得られる客観的フィードバックは、ユーザーのＰＴＥＳを改善するようユーザーを案内し、及びユーザー３４が特定の刺激に晒された場合にユーザーの心情が到達し得る特定の記憶又は思考に関連するＰＴＥＳレベルを決定するために用いられる。メーター５６は、数字を振られたバー６２を垂直に上及び下へ移動しユーザーのＰＴＥＳレベルを表示する表示器６０を有する。メーター５６はまた、特定の時間期間に渡り、又はユーザー３４がメディア素材６６からの刺激に晒されるセッション中に達成された最小ＰＴＥＳレベルを表示する最小レベル表示器６４を有する。メーター５６はまた、セッション中のユーザーの最大、最小、及び平均解放レベルを有し得る。ＰＴＥＳレベルはまた、聴覚的にユーザーへ伝達されて良い。この場合、コンピューター及びスピーカーが表示器として機能する。レベルはまた、当該レベルを紙に印刷することによりユーザーに表示され得る。
【００２４】
別の例では、同一のメディア素材への反応に関連する異なる解放レベルは、時間に亘りメモリー装置に格納され得る。これらの異なる解放レベルは、次々に表示され、メディア素材と関連する負の情動を解放する際にユーザーに彼又は彼女の進捗を知らせ得る。
【００２５】
システム３０では、メディア素材６６は、ユーザー３４にユーザーの高いＰＴＥＳレベルに関連する特定の思考又は情動に到達するよう設計された刺激にユーザー３４を晒すために用いられる。この例では、メディア素材６６はコンピューター５４を通じスピーカー６８を介し再生される音声素材を有する。メディア素材６６及びメーター５６は、コンピューター５４で実行され及びコンピューター画面５８に表示されるコンピューター・プログラム７０に統合される。メディア素材６６は、この場合、画面上ボタン７２を用い制御される。コンピューター・プログラム７０はまた、プログラム機能を操作するための他のメニュー・ボタン７４、及び無線接続５０の接続強度を表示する表示器７６を有する。プログラム７０は標準的にコンピューター５４のメモリーに格納される。この又は他のメモリー装置はまた、自己報告日誌及び自己観察進捗を格納するデータベースを有し得る。
【００２６】
いくつかの例では、プログラム７０はユーザー３４からの応答又は他の入力を要求して良い。これら及び他の環境では、ユーザー３４は、キーボード７８、マウス８０及び／又はマイクロホン８２のような如何なる１又は複数の適切な周辺機器又は入力装置を用い、プログラム７０と相互作用して良い。例えば、マウス８０はメディア素材６６を制御するボタン７２の１つを選択するために用いられて良い。
【００２７】
メディア素材６６は、自己又は補助問診のためにユーザー３４にコンピューター５４と相互作用させる。メディア素材６６は聴覚的、視覚的、聴覚及び視覚的であって良く、及び／又は文書素材ファイル又はコンピューター５４により再生又は提示される他の種類のファイルであって良い。メディア素材６６は、「解放技術（Ｒｅｌｅａｓｅ  Ｔｅｃｈｎｉｑｕｅ）」等のような１又は複数の処理に基づき得る。いくつかの例では、一般的話題が事前に記述された訓練の形式で提示される音声−ビデオ・ファイルの形式で提供され得る。これらの訓練は、金銭、勝利、関係、及びユーザーに当該話題に関し自由状態を達成させる多くの他の一般的話題のような標準的な重要な生涯の課題又は最も個人的な目標を有し得る。目標に関する自由状態は、（特定の予め設定された閾より下の）非常に低いＰＴＥＳレベルがユーザーにより当該目標に関して達成された場合に表示され得る。解放技術はいくつかの例で例として用いられた。他の処理も本願明細書に記載された技術的手法と共に用いられて良い。
【００２８】
ある例では、「解放技術」を有するメディア素材６６は、ユーザー３４に限界情動又は情動的に悩んだ経験の種類のＰＴＥＳに到達させ、結果としてユーザーの神経系に混乱を生じる。処理は次に神経系を正常化するようユーザー３４を案内するか、又は情動を解放する。同時にユーザーは混乱の知覚された原因に集中させられる。ＰＴＥＳレベル又は解放レベルが、この例では、予め設定された閾より低いと決定された場合、処理は完了する。
【００２９】
解放レベルのＰＴＥＳに関連する関心のある信号は、４−１２Ｈｚの範囲のユーザーの脳の前前頭葉の脳波又は電気的活動である。電気的活動のこれらの特徴的な周波数は、α及びθ帯である。α帯の活動は８乃至１２Ｈｚの範囲であり、θ帯の活動は４乃至７Ｈｚの範囲である。α及びθ帯の振幅の間の線形関係は、解放レベルの表示である。ユーザー３４が非解放状態である場合、活動は主にθ帯でありα帯は減退する。ユーザー３４が解放状態である場合、活動は主にα帯でありθ帯のエネルギーは減退する。
【００３０】
ユーザー３４が情動を解放した場合、潜在意識内に残っている思考の全体は、混乱が頭から解放されると徐々に低下する。潜在意識内の多数の思考は、神経系を混乱させる不幸な又は憂鬱な思考として知られている。潜在意識内の少数の思考は、神経系を正常化する又は混乱のない幸福な又は楽しい思考として知られている。
【００３１】
図３は例である方法８４を示す。方法８４は、１又は複数の自己又は補助問診処理を用いる。方法８４は８６から開始し、段階８８へ進む。段階８８で、プログラム７０はメディア素材６６内の刺激を用い、限界情動のようなＰＴＥＳの情動の混乱を引き起こす思考又は話題に到達するようユーザー３４を案内する。この例では、メディア素材６６はスピーカー６８を通じユーザー３４に向けられる質問又は声明を有する。この場合及び他の場合に、コンピューターはユーザーによりメディア素材６６に入力された目標又は課題に関する声明を挿入し得る。例えば、ユーザー３４はキーボード７８を用い目標声明を入力して良く、コンピューターはメディア素材に目標声明を挿入する音声を生成して良い。別の例では、ユーザーはマイクロホン８２を用い目標声明を入力して良く、コンピューターはメディア素材に目標声明を挿入して良い。
【００３２】
方法８４は次に段階９０へ進む。段階９０で、プログラム７０はメディア素材６６を用い、限界情動を引き起こす思考又は話題に集中させたまま、限界情動を解放するようユーザー３４を案内する。プログラムは段階９０から段階９２へ進む。段階９２で、ユーザー３４が限界情動を解放したか否かに関する決定が行われる。この決定はセンサー装置３２からの関心のある信号を用い行われる。この場合、図２に示されるように、解放レベルはメーター５６内のバー６２の表示器６０の位置により表示される。メーターは、ユーザー３４が限界情動を適切な程度まで、例えば所定の閾より下まで解放していることを示す。従って９２の決定は「はい」であり、方法８４は段階９４の終了へ進む。９２で、ユーザー３４は限界情動を適切な程度まで解放していないと決定された場合、９２の決定は「いいえ」であり、方法８４は段階８８へ戻り再び限界情動を引き起こす思考又は話題に到達するようユーザーを案内する。方法８４はユーザー３４が限界情動を解放し自由状態に到達するために必要な限り続けられて良い。処理はまた、ユーザーが多くの標準的な限界情動を解放するようメディア素材により案内される除去セッションを有し、限界情動を解放する低い思考頻度に到達するためにユーザーを補助して良い。
【００３３】
限界情動を解放するよう試みながらメーター５６を観察することにより、ユーザー３４は感情を限界情動の解放と相互に関連付けることができる。この処理の繰り返しは関連づけを強化する。従ってユーザーは解放したい感情が何かを学習し、そして向上された解放の技能を有することによりメーター５６を有し又は有さずに効率的に解放できる。ループ機構は、ユーザーにボタンをクリックさせ、ループ・セッションに入らせる。ループ・セッションでは解放する経験部分が連続的に繰り返される。ユーザーのＰＴＥＳレベルはユーザーに示され、これらのレベルは後に再検討するためにループ・セッション中に自動的に記録される。ループ・セッションは、特定の話題に関連した特定の思考を取り巻く限界情動を取り去るようユーザーを案内する早道を提供する。ループ・セッションは、ユーザーに低い思考活動の望ましい状態又は解放状態を維持させる反復の間にユーザーに何も行うことを要求しない。ループ・セッションはユーザーのＰＴＥＳを改善するようユーザーを案内する如何なる処理にも含まれ得る。
【００３４】
コンピューター５４はまた、解放レベルを時間に亘りメモリー装置に記録し、ユーザー３４に記録されたセッション中に達成された解放過程を再検討可能にする。他のセッションはより最近のセッションと一緒に再検討され、メモリー装置からセッションを再び呼び出すことによりユーザーの解放能力の進捗を説明し得る。
【００３５】
システム３０はまた、ユーザーのＰＴＥＳに影響を与える特定の思考又は話題が何かを決定するようユーザー３４を助けるために用いられる。図４はこの用途の例が示される。方法１００は１０２で開始し、段階１０４へ進む。段階１０４で、ユーザー３４は、時間に亘りユーザー３４に提示される複数の刺激を有するメディア・コンテンツ４２のセッションに晒される。方法１００は段階１０６へ進む。段階１０６で、ユーザー３４のＰＴＥＳレベルはユーザーが複数の刺激に晒されるセッション中に決定される。段階１０６の後、方法は段階１０８へ進む。段階１０８で、刺激は、ＰＴＥＳに負の影響、例えば高い情動限界を生じたメディア・コンテンツ４２から選択される。方法１００は従ってユーザーに対しＰＴＥＳに負の影響を生じる領域を識別する。方法１００は次に段階１１０へ進む。段階１１０で、選択された刺激は処理に用いられ、ユーザーが負の情動を解放するのを助ける。方法１００は段階１１２で終了する。
【００３６】
ある例では、プログラム７０は図５に示された方法１２０を用いる。方法１２０は「利益／不利益」と称される質問形態を有する。この方法では、メディア・ファイルはユーザー３４に順々に「特定の話題」の「利益／不利益」に関連した質問を尋ね、ユーザーに負の情動を経験させる。「特定の話題」の単語又は句は、ユーザーにより入力装置の１つを用いコンピューターに入力され得る。入力装置は例えばキーボード７８、マウス８０、及び／又はマイクロホン８２であり、コンピューターに単語又は句を質問に挿入させる。システム３０はまた目標文書を有して良い。目標文書はユーザーの目標声明を有し、目標声明は目標に関する質問形態及び目標に関するユーザーの解放レベル・データと一緒に表示される。例として、ユーザーは制御に関連する課題、例えば航空便に遅れる心配を有して良い。この場合、ユーザーは「特定の話題」として「航空便に遅れる心配」のようなものを入力し得る。
【００３７】
利益及び不利益に関連した一連の質問は、解放状態又は他のＰＴＥＳが可能な限り低く安定するまで、つまり最大の解放を有するまで交互に行われ得る。図５に示された方法１２０は開始１１２で開始し、段階１２４へ進む。段階１２４で、プログラム７０はユーザー３４に「何の利益／不利益が私に特定の話題により限界を感じさせますか」と尋ねる。プログラム７０は次にユーザーからの入力装置の１つを通じたフィードバックを待つ。
【００３８】
プログラムは次に段階１２６へ進む。段階１２６で、プログラム７０はユーザー３４に「それは不足している承認、不足している制御、又は不足している安全であるという感情に到達しますか」と尋ねる。プログラム７０はユーザー３４からの入力装置からの応答を待ち、例えば「制御する感情」のようにどの感情にユーザーが応答するかを解読する。方法１２０は次に段階１２８へ進む。段階１２８で、プログラム７０は、この例では「あなたはその不足している制御感情を継続させられますか」と尋ねることにより段階１２８に与えられた応答に基づきユーザーに質問する。この時、方法１２０は段階１３０へ進む。段階１３０で、センサー装置３２は、ユーザー３４の解放レベルを決定するために関心のある信号を決定する。解放レベルは監視され、メディア・ファイルは解放レベルが最低点で安定した場合に再生を停止する。この時、方法１２０は段階１３２へ進み、セッションは完了する。セッションが完了すると、ユーザー３４は特定の話題に関する自由な感覚を感じるだろう。特定の不要な情動的残存物が残されている場合、この同一の処理は課題に関する完全な自由がユーザーにより実現されるまで繰り返され得る。
【００３９】
上述の方法は「両極性解放（polarity  releasing）」の例である。「両極性解放」では、個人は特定の話題又は特定の課題に関する積極性と消極性について、心情が思考により生成される負の情動を放棄するまで考えるよう案内される。「好き／嫌い」及び他の概念のような他の両極性解放方法、及び本願明細書に記載された目的のためにセンサー装置３２のようなセンサー装置と一緒に用いられて良い、より低い思考頻度を達成するようユーザーを助ける方法もある。
【００４０】
プログラム７０はメディアへの応答履歴をメモリー装置に格納し、そしてユーザー３４の改善のチャートを作成するために複数の同一メディアへの応答の反復を結合し得る。これらの応答を同一のチャートに種々の色及び次元効果を用い描画することは、ユーザー３４に時間に亘る同一のメディア刺激への種々のＰＴＥＳ反応を説明し、改善を説明する。
【００４１】
プログラム７０はライブ・コンテンツへの反応も同様に格納し得る。ライブ・コンテンツは同一の物理的位置で個人の話を聴くこと若しくは音声を聴くこと、又は電話若しくはインターネット又はテキスト通信のような通信媒体を介し音声ストリーミングを聴くことを含み得る。プログラム７０はＰＴＥＳデータをポイント・ツー・ポイントでインターネットのような通信媒体を用い送信し得る。一方向に流れるライブ・コンテンツ、及び反対方向に流れるＰＴＥＳデータを有するので、ライブ・コンテンツの分配者は、個々のＰＴＥＳデータの反応に依存してコンテンツに直ちに反応し変更する強力な新しい能力を有する。この分配者は変化するＰＴＥＳを理解し反応する能力を有する人又はウェブ・サーバー・アプリケーションであって良い。
【００４２】
プログラム７０は、送信されているデータ種類及びバイト数に基づき表面に出ない電子モジュール４０のバージョンを検出し得る。この情報は、電子モジュール４０での機能の利用可能性に依存して、プログラム７０の種々の機能をオン及びオフに切り替えるために用いられる。
【００４３】
特定の種類のコンピューターを有し、及び特定の種類の無線接続が用いられる場合、無線受信機４８とコンピューター５４との間の非互換性が生じ得る。コンピューター５４のオープン・ホスト・コントローラー・インターフェース（ＯＨＣＩ）と無線受信機４８のユニバーサル・ホスト・コントローラー・インターフェース（ＵＨＣＩ）チップとの間のこの非互換性は、通信障害を引き起こす。プログラム７０はこの特定の非互換性の兆候を検出し、ユーザーに報告する。検出方式は、ｐｉｎｇ「Ｐ」への無線受信機４８からの単一の応答を捜し、ｐｉｎｇへの全ての将来の応答は無視される。プログラム７０は次にモード警告をユーザーに表示し、非互換性に対する次善策を提案する。
【００４４】
プログラム７０は連続的に新たなデータの到来を検査することにより、無線接続５０の切断を検出する。新たなデータの入来が停止した場合、無線接続障害が想定され、メディアの再生及びＰＴＥＳデータの記録を自動的に停止する。新たなデータがコンピューター５４に入来するのを検出すると、プログラム７０はメディア及び記録を自動的に再開する。
【００４５】
プログラム７０は訓練を作成し特定のＰＴＥＳレベルのために目標を設定し得る。例えば、プログラム７０はユーザーに目標ＰＴＥＳレベルを設定するよう依頼し、ユーザーが当該目標に到達するまで無期限に継続する。プログラム７０はまた多数の他の活動中の反応を格納し得る。これらの他の活動は、電話の会話、会議、家事、黙想、及び計画を含むがこれらに限定されない。更に、プログラム７０は、音声、題名、及びセッションの長さを選択することによりユーザーに彼らのセッションをカスタマイズさせ得る。
【００４６】
プロセッサーに基づくコンピューター装置（示されない）を有し得る他のコンピューター装置は、センサー装置３２と共に用いられ、メディア素材６６を再生し及びＰＴＥＳを表示又は示し得る。これらの装置は、コンピューターのポートに差し込む別個の無線受信機４８ではなく統合無線受信機を用いセンサー装置３２と接続されて良い。これらの装置はコンピューター５４より携帯可能であり、ユーザーに日中又は夜を通じてＰＴＥＳレベルを監視させ、ユーザーに潜在意識を一層迅速に解放させる。これらのコンピューター装置は、データを格納し受信機にデータを送信する音声録音機を備えたカメラを有し、後で再検討するためにメモリー装置に反応の出来事を格納し得る。これらのコンピューター装置はまた、反応の出来事、当該出来事の強度、及び／又は当該出来事の音声−ビデオ記録をコンピューター５４にアップロードし得る。コンピューター５４では、愛情と嫌悪（Attachment  and  Aversions）処理又は他の処理が用いられ、当該出来事に関する反応を永久に低減又は除去し得る。
【００４７】
センサー装置３２の１つの例は図６及び７に示される。センサー装置３２はセンサー電極３６、基準電極３８、及び電子モジュール４０を有する。電子モジュール４０は関心のある信号を１，０００乃至１００，０００倍に増幅し、同時に６０Ｈｚの雑音が全然増幅されないことを保証する。電子モジュール４０は関心のある信号を不要な電気的活動から分離する。
【００４８】
この例のセンサー装置３２はまた、関心のある信号を電子モジュールから無線接続５０を介して受信する無線受信機４８を有し、及び当該関心のある信号をコンピューター５４へ伝達する。この例では、無線接続５０は無線周波数エネルギーを用いる。しかしながら赤外線のような他の無線技術も用いられて良い。無線接続を用いることにより、センサー装置３２とコンピューター５４との間を接続するべき線の必要がなくなり、従ってセンサー装置３２をコンピューター５４から電気的に絶縁する。
【００４９】
基準電極３８はクリップ１４８と接続される。この例では、クリップ１４８は基準電極３８をユーザー３４の耳１５０に取り付けるために用いられる。センサー電極３６は、留め金、又はセンサー電極３６を頭部帯４２に取り付ける他の弾性体を備えられた装置を有する。頭部帯４２はまた、電子モジュール４０をユーザーのこめかみの位置に収容するポケットを有する。ヘッドホン４２は弾性体帯の一例であり、センサー電極及び／又は電子モジュール４０を保持するために用いられる。弾性体帯に帽子の一部を形成させることを含め、同一の機能を提供する他の種類の弾性体帯も用いられ得る。
【００５０】
弾性体帯に加え、他の種類の取り付け装置もセンサー電極をユーザーの皮膚に対し保持するために用いられ得る。センサー電極をユーザーの皮膚に対し保持する保持力は、１乃至４ｏｚの範囲であり得る。保持力は例えば１．５ｏｚであり得る。
【００５１】
取り付け装置の別の例は、眼鏡フレームと似ているフレームを有し、センサー電極をユーザーの皮膚に対し保持する。フレームはまた電子モジュール４０を支持するために用いられ得る。フレームはユーザー３４により耳で支持される方法で装着されユーザーの鼻に架けられ、従ってセンサー電極３６はユーザーの皮膚に接触する。
【００５２】
センサー電極３６及び基準電極３８は、それぞれ、測定が行われるべき点でユーザーの皮膚と接触しておかれるために用いられる導電性表面１５２及び１５４を有する。本願明細書の例では、導電性表面は非反応材料、例えば銅、金、導電性弾性体又は導電性プラスチックで構成される。センサー電極３６の導電性表面１５２は約１／２平方インチの表面領域を有して良い。導電性表面１５２は、ユーザーの皮膚に直接接触するために用いられ、皮膚を特別に準備する必要がなく、及び皮膚と導電性表面との間にある接触抵抗を低減するための薬物を用いる必要がない。
【００５３】
センサー装置３２は５００，０００Ωの高い接触抵抗を有し動作し、装置を特別に準備されていない皮膚と直接接触した導電性表面と一緒に動作させる。対照的に、特別な皮膚の準備及び導電性ジェル又は他の薬物は、従来のＥＥＧ電極と共に用いられ、接触抵抗を約２０，０００Ω以下に低減する。より高い接触抵抗を扱う結果、雑音は測定結果に結合され得る。雑音は６０Ｈｚ電力と接続された照明及び他の機器から、及び静電気を生成する空中を移動する如何なる物体の摩擦からも生じる。雑音の振幅は電子モジュール４０と基準電極３８との間の距離に比例する。この例では、電子モジュールをこめかみ領域、耳の直ぐ上に配置することにより、及び基準電極を耳に接続することにより、センサー装置３２は雑音を拾わず、又は雑音により実質的に影響されない。電子モジュールを基準電極と同一の物理空間に位置付けることにより、及び電子モジュールを基準電極と容量性結合することにより、電子モジュール内の局所基準電位１４４及び耳は事実上同一の電位になることが保証される。基準電極３８は、センサー装置３２の電源１５８で用いられる局所基準電位１４４と電気的に接続される。
【００５４】
電源１５８は電力１４６をモジュール内の電子構成要素へ電力導体を介し供給する。電源１５８はセンサー装置３２に基準電位１４４を０ボルトで、並びに正及び負の電源電圧−ＶＣＣ及び＋ＶＣＣを供給する。電源１５８は、電源電圧を電子モジュールに適したレベルで生成するチャージ・ポンプを用いる。
【００５５】
電源はスイッチ１５６を通じモジュール４０内の他の部品と接続される。電源１５８は、電源が切られる前の特定時間の間、電子モジュール４０へ電力を供給させるタイマー回路を有し得る。この特徴は例えば、ユーザー３４が誤って電子モジュール４０への電力をオンにしたままにする場合に電力を節約する。電力１４６は測定のために局所的に参照され、センサー回路３２が無線接続５０を用いるので外部の接地システムへの如何なる基準接続も有さない。
【００５６】
センサー電極３６は、脳内の電気的活動が検知される又は測定される点でユーザーの皮膚と接触して配置される。基準電極３８は、センサー電極が配置される点から近距離だけ離れた点で皮膚と接触して配置される。この例では当該距離は４インチである。しかしながら当該距離は約８インチの大きさであって良い。雑音の振幅は電子モジュールと基準電極との間の距離に比例するので、長さが長いほどシステムには雑音が乗り得る。電子モジュール４０は基準電極３８に近接近して配置される。これは電子モジュール４０を基準電極３８と同一の電気及び磁気環境に存在させ、電子モジュール４０は容量的に及び相互インダクタンスを通じ基準電極３８と接続される。基準電極３８及び増幅器１６８は雑音環境に一緒に結合され、センサー電極３６は関心のある信号を基準電極から短距離だけ離れて測定し、センサー装置３２への雑音の影響を低減又は除去する。基準電極３８は電源１５８内の０Ｖと導体１６６で接続される。
【００５７】
センサー電極３６はユーザーの脳内の電気的活動を検知し、当該電気的活動と関連する電圧信号１６０を生成する。電圧信号１６０は、センサー電極３６がユーザーの皮膚と接触する点の局所基準電位１４４に対する電気的活動の電位である。電圧信号１６０は電極３６から電子モジュール４０へ導体１６２を介し伝達される。導体１６２及び１６６は、導電性表面１５２及び１５４に如何なるハンダも存在しないように電極３６及び３８と接続される。導体１６２は実用的な程度に短く、この例では約３インチの長さである。センサー装置３２が用いられる場合、導体１６２はユ―ザー３４から離れた距離に保持される。従って導体１６２はユーザーからの又はユーザーへの信号を結合しない。この例では、導体１６２はユーザー３４から約１／２”の距離に保持される。モジュール４０と電極３６及び３８との間に延在する導体１６２及び１６６を除き、如何なる他の線、光ファイバー又は他の種類の延長部も、電子モジュール４０から延在しない。何故ならこれらの種類の構造は電子雑音を拾い易いからである。
【００５８】
電子モジュール４０は、関心のある信号を有する電気的活動及び関心のある信号と関係のない不要な他の電気的活動を測定又は決定する。電子モジュール４０はシングルエンド増幅器１６８（図７及び８）を用いる。シングルエンド増幅器１６８は、基準電極３８を用いた測定環境で雑音と密接に結合される。シングルエンド増幅器１６８は、α及びθ帯の電気的活動を含む最大１２Ｈｚの周波数に対し利得２を、及び６０Ｈｚの高調波を含む６０Ｈｚ以上の周波数に対し１より小さい利得を提供する。
【００５９】
図８及び１１の増幅器１６８は、電圧信号１６０を電極３６から、及び電力１４６を電力源１５８から受信する。シングルエンド増幅器１６８は、電圧信号１６０に比例する出力信号１７４を生成する。出力信号１７４は関心のある信号を有する。この例では、電圧信号１６０は導体１６２を介し抵抗器１７０へ供給される。抵抗器１７０は高インピーダンス、低電力の演算増幅器１７２の非反転入力と接続される。出力信号１７４は、並列に接続された抵抗器１７６及びキャパシター１７８を通じ演算増幅器１７２の反転入力への帰還として用いられる。演算増幅器１７２の反転入力はまた、抵抗器１８０を通じ基準電圧１４４と接続される。
【００６０】
増幅器１６８は、出力信号１７４を伝達する出力導体１８４により３段センサー・フィルター１８２と接続される。電気的活動又は電圧信号１６０は、段１６８及び１８２のそれぞれにより増幅される。同時に不要な信号、例えば６０Ｈｚ以上は当該段のそれぞれにより減衰される。３段センサー・フィルターは、３つの段２０６ａ、２０６ｂ及び２０６ｃを有する。各段は同一の設計を有し、帯域通過フィルター機能を提供する。帯域通過フィルター機能は１．２乃至１２Ｈｚの信号を利得５で通過させ、同時にこれらの周波数より低い及び高い信号を減衰する。帯域通過フィルター機能はα及びθ帯の信号を通過させ、同時に６０Ｈｚ及び６０Ｈｚの高調波のような雑音を減衰する。３段センサー・フィルター１８２は、部品のバイアス及びオフセットによる信号のオフセットを除去する。３つの段のそれぞれは、電源電圧１４６及び基準電圧１４４と接続される。３つの段のそれぞれは、それぞれ出力導体１８８ａ、１８８ｂ、及び１８８ｃに出力信号１８６ａ、１８６ｂ、及び１８６ｃを生成する。
【００６１】
図９及び１１の３段センサー・フィルター１８２の第１の段２０６ａでは、出力信号１７４は第１の段の演算増幅器１９０ａの非反転入力へ抵抗器１９２ａ及びキャパシター１９４ａを通じ供給される。キャパシター１９６ａ及び他の抵抗器１９８ａは、非反転入力と基準電圧１４４との間に接続される。第１の段からの出力信号１８６ａの帰還は、並列に接続された抵抗器２００ａ及びキャパシター２０２ａを通じ演算増幅器１９０ａの反転入力と接続される。演算増幅器１９０ａの反転入力はまた、抵抗器２０４ａを通じ基準電圧１４４と接続される。
【００６２】
第２及び第３の段２０６ｂ及び２０６ｃは、それぞれ第１の段２０６ａと直列に配置される。第１の段の出力信号１８６ａは、第２の段２０６ｂへ、抵抗器１９２ｂ及びキャパシター１９４ｂを通じ演算増幅器１９０ｂの非反転入力へ供給される。第２の段の出力信号１８６ｂは第３の段２０６ｃへ、抵抗器１９２ｃ及びキャパシター１９４ｃを通じて供給される。抵抗器１９８ｂ及びキャパシター１９６ｂは、演算増幅器１９０ｂの非反転入力と基準電位１４４との間に接続される。また抵抗器１９８ｃ及びキャパシター１９６ｃは、演算増幅器１９０ｃの非反転入力と基準電位１４４との間に接続される。出力導体１８８ｂから演算増幅器１９０ｂの反転入力への帰還は、抵抗器２００ｂ及びキャパシター２０２ｂを通る。また演算増幅器１９０ｂの反転入力は抵抗器２０４ｂで基準電位１４４と接続される。出力導体１８８ｃから演算増幅器１９０ｃの反転入力への帰還は、抵抗器２００ｃ及びキャパシター２０２ｃを通る。また演算増幅器１９０ｃの反転入力は抵抗器２０４ｃで基準電位１４４と接続される。
【００６３】
３段センサー・フィルター１８２は、図１０及び１１のＲＣフィルター２０８と、出力導体１８８ｃで接続される。出力導体１８８ｃは、図７の３段センサー・フィルター１８２の第３の段２０６ｃからの出力信号１８６ｃを伝達する。ＲＣフィルター２０８は、出力導体２１６と直列に接続された抵抗器２１０、基準電位１４４と出力導体２１６との間を接続するキャパシター２１２を有する。ＲＣフィルターは低域通過フィルターとして機能し、１２Ｈｚより高い出力周波数を更にフィルターする。ＲＣフィルター２０８はフィルター信号２１４を出力導体２１６に生成する。ＲＣフィルター２０８は図７のアナログ−デジタル（Ａ／Ｄ）変換器と接続される。
【００６４】
Ａ／Ｄ変換器２１８は、ＲＣフィルターからのアナログ・フィルター信号２１４をデジタル信号２２０へ、アナログ・フィルター信号２１４を６０Ｈｚの倍数であるサンプル・レートでサンプリングすることにより変換する。この例では、サンプル・レートは９６００サンプル毎秒である。デジタル信号２２０はデジタル・プロセッサー２２４へ、出力導体２２２を介し伝達される。
【００６５】
図７のデジタル・プロセッサー２２４は追加利得、６０Ｈｚの雑音の除去、及び高周波数データの減衰を提供する。デジタル・プロセッサー２２４はコンピューター装置で動作するソフトウェアで実施されて良い。デジタル・プロセッサー２２４は図１２のノッチ・フィルター２３０を有する。ノッチ・フィルター２３０は、デジタル信号のデータ点を一度に加算し１６０、６０Ｈｚで如何なる情報も有さない６０Ｈｚデータのストリームを生成する。ノッチ・フィルター２３０の後段にエラー・チェッカー２３２が続く。エラー・チェッカー２３２は範囲外のデータ点を６０Ｈｚのデータ・ストリームから除去する。これらの範囲外のデータ点は誤りのあるデータであるか、又はそれらは脳内活動以外の特定の外部情報源により引き起こされる。
【００６６】
エラー・チェッカー２３２の後で、デジタル・プロセッサー２２４は離散フーリエ変換２３４を用いデータ・ストリームを変換する。従来のＥＥＧシステムは帯域通過フィルターを用いα及びθ周波数を選択するが、特にこれらのフィルターは連続的な周期的機能を処理及び選択することに限定される。フーリエ変換を用いることにより、デジタル・プロセッサー２２４は無造作に間隔の空いた事象を識別できる。各事象は全ての周波数でエネルギーを有するが、事象が短いほど高周波数で大きいエネルギーを有し、また事象が長いほど低周波数で大きいエネルギーを有する。α及びθ周波数のエネルギーの相違から、システムはより長いまたはより短い事象の優勢を識別できる。当該相違は次に帯域の総エネルギーにより拡大される。これにより、出力はエネルギーの種類に基づき、及びエネルギー量に関係する如何なるものも除去される。
【００６７】
フーリエ変換２３４は、それぞれ異なる周波数幅を有するビン２３６ａ乃至２３６ｏにエネルギーを分割するスペクトル信号を生成する。ある例では、スペクトル信号は３０個のサンプルを有し、エネルギー・スペクトルを２Ｈｚ幅のビンに分割する。別の例では、スペクトル信号は６０個のサンプルを有し、ビンを１Ｈｚ幅のビンに分割する。ビン２３６は追加され特定の帯域のエネルギー信号を生成する。この例では、４乃至８Ｈｚの間のビン２３６は、これらのビンを加算しθ帯のエネルギー信号２４０を生成する加算器２３８へ渡される。また８乃至１２Ｈｚの間のビンはこれらのビンを加算しα帯のエネルギー信号２４４を生成する加算器２４２へ渡される。
【００６８】
この例では、α及びθ帯のエネルギー信号２４０及び２４４は計算機２４６へ渡される。計算機２４６は（θ−α）／（θ＋α）を計算し結果として出力信号２２６を導体２２８に生成する。
【００６９】
図７の出力信号２２６は、出力信号２２６を無線受信機４８へ無線接続５０を介して送信する無線送信機４６へ渡される。この例では、出力信号２２６は関心のある信号であり、コンピューター５４へポート５２を介し渡され、メーター５６に表示するＰＴＥＳを生成するためにコンピューターにより用いられる。
【００７０】
コンピューター５４はいくつかの例では出力信号２２６の追加処理を提供して良い。解放技術を用いた例では、コンピューター５４は出力信号２２６を操作し、出力信号内のα及びθ帯の信号の相対量を決定し、ユーザー３４により経験された解放レベルを決定する。
【００７１】
上述の原理及び特徴を用いたセンサー装置は、上述の脳組織に加えユーザーの他の組織内の電気的活動、例えば筋肉及び心臓組織内の電気的活動を決定するために用いられ得る。これらの場合には、センサー電極は皮膚の上に電気的活動が測定されるべき点に位置付けられる。また基準電極及び電子モジュールはセンサー電極の近くの点に取り付けられた基準電極の近隣に位置付けられる。電子モジュールは、これらの場合には、増幅及びフィルタリングを有し、筋肉又は心臓の電気的活動の周波数を分離し、同時に他の周波数をフィルターして除去する。
【００７２】
纏めると、本願明細書は、ユーザーの脳内の電気的活動の測定可能特性を決定すること、及び測定可能特性を用い現時点のユーザーの情動状態を決定することを教示する。
【００７３】
多数の例である態様及び実施例が以上に議論されたが、当業者は特定の変更、置換、追加、及びそれらの組み合わせを認識するだろう。従って紹介された特許請求の範囲は、全ての当該変更、置換、追加、及び組み合わせを本発明の精神と範囲に包含されるとして解釈される。
【００７４】
［添付１］心情の対話式電子的調整による人的エネルギーの向上
出願人：Ray  Caamano、Lawrence  Crane、Cesar  Toscano
背景技術：
心情は個人により経験される情動に重要な役割を果たすことが長年に亘り知られている。多くの個人は目標を追求しようとする場合、又は単に人生を送る場合に限界という内的感覚を感じる。限界情動の日常経験は存在する通常状態として受け入れられてきており、個人の目標又は願望の達成を妨げている。その結果、個人は不満及びずっと続く諦めを経験し、私達は私達の望むものを得られない。これらの感情又は情動は、実際にこれらの限界を私達の神経系に現実に感じさせる。そして私達は人生をこれらの限界情動の鏡像として経験する傾向がある。
【００７５】
レスター・レベンソン（Lester  Levenson）の書籍及び音声で記録された講義は、誰でも恒久的に個人の情動状態を向上するために用いることができる自己又は補助問診の処理を生成させるこの主題に関する多くの詳細な発見を説明している。
【００７６】
彼はそれを「セドナ法」と称した。後に、ローレンス・クレインは「解放技術」として知られる「セドナ法」の変形を作った。
【００７７】
以下に、個人がこれらの限界情動の障壁を経験することから恒久的に解放する方向へ案内し得る新たな技術的手法を記載する。
【００７８】
先ず、この技術的手法を伝達するために、特定の語及び概念の共通の理解に到達する必要がある。
【００７９】
心情：レスター・レベンソンは、心情は単に私達の思考の全体集合であると説明している。これは実際にはコンピューター内のハード・ドライブのような大容量記憶装置である。当該大容量記憶装置は私達が今までに経験した全ての事を格納し、私達がこれらの過去の経験を考えるときに、又は私達がこれらの過去の経験の１つと類似した経験を現在しているときに、過去の経験を感情に訴える記憶の形式で再生する。
【００８０】
抑圧：望ましくない又は不快な思考が現在の意識で経験されないように当該思考を私達の意識の裏に押しやる精神的習慣。これは、これらの思考を心に格納させ、潜在意識として知られているものになる。潜在意識に格納されたこれらの、如何なる特定の種類の又は如何なる特定の話題を取り巻く思考が有意な数に達すると、当該思考は私達が情動として知るものになり、日常で、人生で、無作為に若しくは適切な環境刺激が私達の経験の中の当該思考を呼び出した場合に経験される。
【００８１】
プログラム：長期に亘る思考形態。大部分は潜在意識にあり、最終に個人の限界情動を生成する。プログラムは以下に定められる（愛情）又は（嫌悪）から形成される。
【００８２】
愛情：特定の人々、場所、物、及び経験を私達の近くに保つという要望である。私達が愛着を持っているものから離された場合、愛情は私達に情動的苦痛を経験させる。
【００８３】
嫌悪：特定の人々、場所、物、及び経験を私達から離したいという要望である。恐怖は一般的な嫌悪である。私達が嫌悪を抱いている如何なる状況を経験した場合も、嫌悪は私達に情動的苦痛を感じさせる。
【００８４】
反応：個人が限界情動を経験することである。これはまた、特定の環境刺激により限界行動を生じ得る。
【００８５】
解放：経験された瞬間に限界思考、思考傾向、及び結果として生じる情動を取り除く精神過程である。当該過程は、個人が限界情動又は情動的に悩んだ経験を思い出すよう案内し、結果として神経系に混乱を生じ、そして個人が当該混乱の知覚された原因に集中している間に個人が神経系を正常化するよう又は情動を解放するよう案内する。
【００８６】
より困難な限界では、「愛情と嫌悪」と称される処理が用いられて良い。この処理は以下により詳細に記載される。
【００８７】
解放中に実施に起こっていることは、混乱が心から徐々に解放されるにつれ、脳内の思考頻度は低下することである。前額部の真下に位置する脳の前前頭葉領域は、より活発になる。高い思考頻度は、神経系の混乱である不幸な又は憂鬱な思考として知られるものを生じる。低い思考頻度は幸福な又は楽しい感情として知られているものを生じ、結果として神経系を正常化するか又は混乱を生じない。頭部に装着されるEmSense社により開発された、ＥＥＧに基づく新たな生体センサーはこの活動レベルを測定できる。
【００８８】
自由：個人の進行中の人生経験の一部として経験される望ましくない情動になっている限界思考からの恒久的解放は、潜在意識に格納された如何なる限界情動も存在しなくなるまで、及び神経系で経験される結果として生じる情動が存在しなくなるまで、解放過程を繰り返し用いることによる。自由は潜在意識の完全な解放である。
【００８９】
突出した（ness）存在：突出した（ness）存在は、如何なる限界、限界情動、又は知覚された限界の自然の先天的な状態を経験していない個人である。ある人は、情動がもはや存在しないなら個人は何も感じないと考えるかも知れない。実際には、徐々に情動の混乱を低下させる経験は、結果として増え続ける調和、喜び、又は幸福を生じる。この結果は明らかに、これを引き起こし得る如何なる技術的手法に大きな価値を与える。以下に、それを目的とする技術を記載する。
【００９０】
技術はEmSense社により開発された生体無線解放センサーにより可能になる。頭部に装着した当該センサー、パーソナル・コンピューター、及びコンピューター内に統合されるか又はＵＳＢ若しくはコンピューターの他の入力ポートに差し込まれた受信器、実時間及び時間に亘る「解放」レベルの表示を含む特定の双方向機能を含むソフトウェア構成要素、及び個人を解放処理を通じて案内するよう設計されたオーディオ／ビジュアル・コンテンツ素材が用いられる。
【００９１】
これらの構成要素は以下を行うよう設計されるシステムを有する。
（１）システムを使用している個人が経験している現在の解放状態を表示し、生体フィードバック表示を提供し、ユーザーがどのように解放を感じているかの内的自覚を育成することを可能にし、それによりユーザーを高まる解放技術を育成するよう案内する。これは音声又は視覚的手段の何れかによる多くの方法で表示されて良い。
（２）予め記録された音声及び又はビデオ・ファイルを再生し、ユーザーが反応し限界情動を生じ、それらを解放し、そしてこの処理を何度も繰り返すよう案内する。
（３）解放レベルを時間に亘りメモリー装置に記録し、ユーザーに記録されたセッション中に達成された解放過程を閲覧させる。
（４）予め記録された音声又はビデオ・ファイルを再生し、解放を時間に亘り測定し、ユーザーに記録されたセッション中に達成された解放過程を閲覧させる。
（５）ユーザーが他の予め記録されたセッションを閲覧し、それらをより最近のセッションに沿って閲覧し、ユーザーの解放能力の進捗を説明することを可能にする。
（６）音声ファイルが再生されたときに神経系内の反応又は混乱領域を記録し、ユーザーが反応する又は混乱を経験させるファイルの種類を記録する。
（７）如何なる応答も反応も生成しなかった視聴覚ファイルを廃棄し、応答又は反応を生成したファイルに焦点を当てる。この得られたデータを用い、「愛情と嫌悪」を通じ個人を次の通り案内する。
【００９２】
以下の質問の空欄には（７）で混乱を引き起こしたファイルを記述する音声ビデオ・ファイルが挿入される。最初の質問形態は愛情を中立化するために用いられる。この質問形態は「利益／不利益」と称される。
ユーザーに以下を尋ねる音声ビデオ・ファイルを再生する。
（Ｃ）何の利益が私に（    ）により限界を感じさせますか？
（ユーザーからの視聴覚又はキーボードのフィードバックを待つ。）
（Ｃ１）それは不足している承認、不足している制御、又は不足している安全であるという感情に到達しますか？（視聴覚又はキーボードのフィードバックを待ち、どのファイルが当該感情に到達するかを解読し、以下の適切なファイルを再生する。）
（Ｃ２）あなたは不足している承認の感情を放っておけますか？等である。解放レベルを監視し、解放レベルが最低点で安定化したときにファイルの再生を停止する。
（Ｃ２）あなたは不足している制御の感情を放っておけますか？等である。
解放レベルを監視し、解放レベルが最低点で安定化したときにファイルの再生を停止する。
（Ｃ４）あなたは不足している安全の感情を放っておけますか？等である。
解放レベルを監視し、解放レベルが最低点で安定化したときにファイルの再生を停止する。
（Ｄ）何の不利益が私に（    ）により限界を感じさせますか？
（ユーザーからの視聴覚又はキーボードのフィードバックを待つ。）
（Ｄ１）それは不足している承認、不足している制御、又は不足している安全であるという感情に到達しますか？
（視聴覚又はキーボードのフィードバックを待ち、どのファイルが当該感情に到達するかを解読し、以下の適切なファイルを再生する。）
（Ｄ２）あなたは不足している承認の感情を放っておけますか？等である。
（解放レベルを監視し、解放レベルが最低点で安定化したときにファイルの再生を停止する。）
（Ｄ３）あなたは不足している制御の感情を放っておけますか？等である。
（解放レベルを監視し、解放レベルが最低点で安定化したときにファイルの再生を停止する。）
（Ｄ４）あなたは不足している安全の感情を放っておけますか？等である。
（解放レベルを監視し、解放レベルが最低点で安定化したときにファイルの再生を停止する。）
（解放状態が安可能な限り低く定化するまで、Ｃ及びＤの質問形態を循環させる。）
（Ｅ）絶対に（    ）を有さないと想像するようユーザーに尋ねる音声ビデオ・ファイルを再生する。
（解放レベルを監視し、上向きの上昇又は反応が存在するかどうかを調べる。）
反応がある場合、Ｃ及びＤの質問形態を再び循環させる。
如何なる上向きの上昇又は反応もない場合、この質問の音声ビデオ・ファイルの再生に進む。
（Ｅ２）私は（    ）に対して感じる私の全愛情を放っておけますか？"
（反応は低い。これはセッションを閉じる。）
セッションが完了すると、個人は特定の話題に関する自由な感覚を感じるだろう。特定の不要な情動的残存物が残されている場合、この同一の処理は課題に関する完全な自由がユーザーにより実現されるまで繰り返され得る。
【００９３】
以下に、「好き／嫌い」と称される嫌悪を中立化する質問形態を示す。
ユーザーに以下を尋ねる音声ビデオ・ファイルを再生する。
（Ｃ）私は（    ）により限界を感じますか？
（ユーザーからの視聴覚又はキーボードのフィードバックを待つ。）
（Ｃ１）それは不足している承認、不足している制御、又は不足している安全であるという感情に到達しますか？
（視聴覚又はキーボードのフィードバックを待ち、どのファイルが当該感情に到達するかを解読し、以下の適切なファイルを再生する。）
（Ｃ２）あなたは不足している承認の感情を放っておけますか？等である。
解放レベルを監視し、解放レベルが最低点で安定化したときにファイルの再生を停止する。
（Ｃ３）あなたは不足している制御の感情を放っておけますか？等である。
解放レベルを監視し、解放レベルが最低点で安定化したときにファイルの再生を停止する。
（Ｃ４）あなたは不足している安全の感情を放っておけますか？等である。
解放レベルを監視し、解放レベルが最低点で安定化したときにファイルの再生を停止する。
（Ｄ）私は（    ）により限界された感情を嫌いですか？
（ユーザーからの視聴覚又はキーボードのフィードバックを待つ。）
（Ｄ１）それは不足している承認、不足している制御、又は不足している安全であるという感情に到達しますか？
（視聴覚又はキーボードのフィードバックを待ち、どのファイルが当該感情に到達するかを解読し、以下の適切なファイルを再生する。）
（Ｄ２）あなたは不足している承認の感情を放っておけますか？等である。
（解放レベルを監視し、解放レベルが最低点で安定化したときにファイルの再生を停止する。）
（Ｄ３）あなたは不足している制御の感情を放っておけますか？等である。
（解放レベルを監視し、解放レベルが最低点で安定化したときにファイルの再生を停止する。）
（Ｄ４）あなたは不足している安全の感情を放っておけますか？等である。
（解放レベルを監視し、解放レベルが最低点で安定化したときにファイルの再生を停止する。）
（解放状態が可能な限り低く安定化するまで、Ｃ及びＤの質問形態を循環させる。）
（Ｅ）常に（    ）を有し、あなたはそれから離れられないと想像するようユーザーに尋ねる音声ビデオ・ファイルを再生する。
（解放レベルを監視し、上向きの上昇又は反応が存在するかどうかを調べる。）
反応がある場合、Ｃ及びＤの質問形態を再び循環させる。
如何なる上向きの上昇又は反応もない場合、この質問の音声ビデオ・ファイルを再生する。
（Ｅ２）私は（    ）に対して感じる私の全嫌悪を放っておけますか？
（反応は低い。これはセッションを閉じる。）
理解されるべき点は、上述の質問形態は「両極性解放（polarity  releasing）」の例であることである。「両極性解放」では、個人は特定の話題又は特定の課題に関する積極性と消極性について、心情が思考生成プログラムを放棄するまで考えるよう案内される。この概念への多くの方法、又は個人がより低い思考頻度を達成するのを支援する他の方法が存在し得る。また本発明はこれらの特定の質問形態又は方法に限定されない。
（８）システムは、ユーザーに空欄に挿入されるべき課題を記述する音声を挿入させるマイクロホン入力を有して良い。
（９）システムは、課題を空欄に打ち込むキーボード入力を有し、及び前述の一般的な視聴覚ファイルで、コンピューターにより生成された音声に特定の語句を再生させて良い。
（１０）システムはまた目標文書を有して良い。目標文書はユーザーの目標声明を有し、目標声明は目標に関する「愛情と嫌悪」質問形態及び目標に関するユーザーの解放レベル・データと一緒に表示される。
（１１）目標に関する自由状態は、（特定の予め設定された閾より下の）非常に低い解放レベルがユーザーにより当該目標に関して達成された場合に表示され得る。
（１２）一般的な話題が所定の訓練の形式で提示される音声ビデオ・ファイルの形式で提供されて良い。これらの訓練は、金銭、勝利、関係、及びユーザーに当該話題に関し自由状態を達成させる多くの他の一般的話題のような標準的な重要な生涯の課題又は最も個人的な目標を有し得る。
（１３）視聴覚素材は「セドナ法」であって良い。
（１４）視聴覚ファイルは「解放技術」であって良い。
（１５）追加無線受信器の解放レベルのフィードバック／ディスプレイ装置は、解放レベル送信機ヘッドセットと共に用いられ、パーソナル・コンピューターよりも持ち運ぶことができる。個人に日中又は夜中を通じて反応を解放させ、ユーザーが潜在意識を一層迅速に解放することを可能にする。
（１６）音声記録を有する小さいカメラは、これらの無線送信機ヘッドセットに取り付けられ、データを格納又は受信器装置へ送信する。同時に反応を示した出来事を格納する。
（１７）これらの装置はまた、反応を示した出来事、当該出来事の強度、及び当該出来事の音声−ビデオ記録をコンピューター・インターフェースにアップロードし得る。コンピューター・インターフェースでは、愛情と嫌悪（Attachment  and  Aversions）処理又は他の処理が用いられ、当該出来事に関する反応を永久に低減又は除去し得る。
（１８）システムは、「セッション終了」を用いて良い。セッション終了では、ユーザーは視覚及び又は聴覚データ・ファイルにより、結果として非常に低い思考頻度の達成又はセッション中の有意な解放状態の経験のためにユーザーを支援するプログラムを生成する多くの標準的思考を解放するよう案内される。
【図面の簡単な説明】
【００９４】
【図１】電気的活動を測定しユーザーの現時点の情動状態を決定するセンサー装置を用いるシステムを図示する。
【図２】ユーザーの現時点の情動状態のレベルの表示を含み、及びユーザーの現時点の情動状態に関連してユーザーを案内する際に用いられるメディア素材の制御を有するプログラムを図示する。
【図３】ユーザーの現時点の情動状態に基づきメディア素材がユーザーを案内するある例の図である。
【図４】ユーザーの現時点の情動状態に基づきメディア素材がユーザーを案内する別の例の図である。
【図５】ユーザーの現時点の情動状態に基づきメディア素材がユーザーを案内する更に別の例の図である。
【図６】図１に示されたセンサー装置の斜視図である。
【図７】図１に示されたセンサー装置及びコンピューターのブロック図である。
【図８】図７に示されたセンサー装置で用いられる増幅器の回路図である。
【図９】図７に示されたセンサー装置で用いられるフィルター段の回路図である。
【図１０】図７に示されたセンサー装置で用いられる抵抗器−キャパシターＲＣフィルターの回路図である。
【図１１】図８、９、及び１０に示された増幅器、３つのフィルター段、及びＲＣフィルターの回路図である。
【図１２】図７に示されたセンサー装置のデジタル・プロセッサーのブロック図である。
【図１】
2009504274.tif 000003
【図２】
2009504274.tif 000004
【図３】
2009504274.tif 000005
【図４】
2009504274.tif 000006
【図５】
2009504274.tif 000007
【図６】
2009504274.tif 000008
【図７】
2009504274.tif 000009
【図８】
2009504274.tif 000010
【図９】
2009504274.tif 000011
【図１０】
2009504274.tif 000012
【図１１】
2009504274.tif 000013
【図１２】
2009504274.tif 000014
【国際調査報告】
2009504274.tif 000015
2009504274.tif 000016